(57)【特許請求の範囲】
【請求項１】
粉粒体と輸送用気体の混合気を輸送管により気力輸送することに用いられる粉粒体輸送管ストレーナであって、
前記輸送管の途中に挿入されて設けられ、一端部に入口、他端部に出口を備える外筒体と、
前記入口と出口の間の前記外筒体内に配置される籠状のスクリーンと、
前記スクリーンの内部に取り付けられるシャフトと、
を備え、
前記スクリーンとシャフトが回転可能であり、前記入口が前記外筒体の接線方向に接続され、前記入口の軸方向が前記シャフトの軸方向と直交し、前記スクリーンとシャフトが回転することにより、前記混合気が前記スクリーン内を螺旋様に進行し、
前記スクリーンと前記外筒体に間隙が形成され、前記スクリーンの外表面の長手方向に沿って配置されるビータを前記間隙に設け、
前記混合気の進入部位の前記シャフトにパドルが設置されており、当該パドルが回転することにより、粉粒体を前記スクリーン内に推進させ、
前記スクリーンの孔よりも小さな径の粉粒体或いは異物が前記孔を通過して前記出口から前記輸送管に輸送され、前記孔よりも大きな径の粉粒体或いは異物が前記スクリーン内に滞留することを特徴とする粉粒体輸送管ストレーナ。
【請求項２】
前記外筒体とスクリーンが円錘形状である請求項１の粉粒体輸送管ストレーナ。
【発明の詳細な説明】
【技術分野】
【０００１】
本発明は、粉粒体輸送管内を粉粒体輸送する際の異物除去用の粉粒体輸送管ストレーナに関するものである。
【背景技術】
【０００２】
特許文献１に記載の発明は、粉粒体導入口および排出口を有する円筒状のケーシングと、このケーシング内に配設される前記排出口に対応する部分に羽を有さないスクリューと、前記排出口に対応する部分にケーシングとほぼ同径で、かつ回転する円筒状のシーブとを有することを特徴とするインラインシーブである。
【先行技術文献】
【特許文献】
【０００３】
【特許文献１】特開平６−３２１３３５号公報
【発明の概要】
【発明が解決しようとする課題】
【０００４】
しかし、特許文献１に記載の発明は、スクリューと組み合わせてしか利用できないため、適用範囲が狭いという問題があり、また、圧力損失が生じ、効率的なスクリーンには不都合である。
【０００５】
そこで、上記課題に鑑み、本発明は、最小限の圧力損失で、効率的なスクリーニングを可能とする異物除去用の粉粒体輸送管ストレーナを提供することを課題とする。
【課題を解決するための手段】
【０００６】
上記課題を解決するため、本発明は、粉粒体と輸送用気体の混合気を輸送管により気力輸送することに用いられる粉粒体輸送管ストレーナであって、前記輸送管の途中に挿入されて設けられ、一端部に入口、他端部に出口を備える外筒体と、前記入口と出口の間の前記外筒体内に配置される籠状のスクリーンと、前記スクリーンの内部に取り付けられるシャフトと、を備え、前記スクリーンとシャフトが回転可能であり、前記入口が前記外筒体の接線方向に接続され、前記入口の軸方向が前記シャフトの軸方向と直交し、前記スクリーンとシャフトが回転することにより、前記混合気が前記スクリーン内を螺旋様に進行し、前記スクリーンと前記外筒体に間隙が形成され、前記スクリーンの外表面の長手方向に沿って配置されるビータを前記間隙に設け、前記混合気の進入部位のシャフトにパドルが設置されており、当該パドルが回転することにより、粉粒体を前記スクリーン内に推進させ、前記スクリーンの孔よりも小さな径の粉粒体或いは異物が前記孔を通過して前記出口から前記輸送管に輸送され、前記孔よりも大きな径の粉粒体或いは異物が前記スクリーン内に滞留することを特徴とする粉粒体輸送管ストレーナである。
【０００９】
前記外筒体とスクリーンが円錘形状であることが好ましい。
【００１０】
ここでいうスクリーンには、網、又は、パンチングプレートを含む。パンチングプレートとは金属板に多数の孔を穿孔した金属体である。
【発明の効果】
【００１１】
混合気がストレーナのシャフトに対して直交方向から、螺旋様に進入するので、粉粒体気力輸送において、最小限の圧力損失で、効率的なスクリーニングが可能になった。
【００１２】
籠状のスクリーンが回転し、遠心力により、粉粒体を効率的にスクリーニングすることができる。
【００１３】
籠状のスクリーンの外側にビータが設置されており、スクリーニングされた粉粒体を効率的に下流に送り込むことができる。
【００１４】
混合気の進入部位におけるストレーナのシャフトにパドルが設置されており、そのパドルが回転することにより粉粒体を円錐籠状のストレーナ内に、効率的に推進させることができる。
【００１５】
前記外筒体とスクリーンが円錘形状であるので、圧力損失がさらに低減でき、高効率のスクリーニングが可能となる。
【図面の簡単な説明】
【００１６】
【図１】本発明実施形態の粉粒体輸送管ストレーナの正面図である。
【図２】同ストレーナの正面中央縦断面図である。
【図３】同ストレーナの平面図である。
【図４】同ストレーナの平面断面図である。
【図５】同ストレーナのスクリーンとビータの正面図である。
【発明を実施するための形態】
【００１７】
以下、本発明の実施形態である粉粒体輸送管ストレーナ１の構成について図１〜図５を参照して説明する。
【００１８】
粉粒体輸送管ストレーナ１は、図１〜図４に示す通り、粉粒体と輸送用気体の混合気を輸送管２により気力輸送することに用いられるものであって、輸送管２の途中に挿入されて設けられ、一端部に入口３、他端部に出口４を備える外筒体５と、外筒体５内に配置される籠状のスクリーン６と、スクリーン６の内部に取り付けられるシャフト７と、を備え、入口３が外筒体５の接線方向に接続され、入口３の軸方向Ｘがシャフト７の軸方向Ｙと直交し、スクリーン６とシャフト７が回転することにより、混合気がスクリーン６内を螺旋様に進行することを特徴とする。粉粒体輸送管ストレーナ１は、ここでは、縦置きであるが、横置きでも実施可能である。粉粒体輸送管ストレーナ１は粉粒体輸送ラインの途中に設置される意味で、これをインライン・ストレーナとも呼ぶ。
【００１９】
出口４側の輸送管２の後部にインラインシフタ（図示略：詳細はＷＯ０２／０３８２９０等を参照されたい。）が接続されていて、ストレーナ１で粗い異物を除去した後、さらに、細かな異物を除去するようになっている。これに代えて、入口３側の輸送管２の後部にストレーナ１を接続しても良い。インラインシフタに代えて他の種類の粉粒体処理機器に接続することも可能である。以下詳細に説明する。
【００２０】
外筒体５は金属製で、円錘形状である。外筒体５は、第１ケーシング５１と、と、第２ケーシング５２と、第１ケーシング５１と第２ケーシング５２を接続する接続部５３を備えている。
【００２１】
スクリーン６の孔６ａは粉粒体の粒径、材質等によって適宜変更される。丸孔に代えて小判形状等の長孔でもよい。
【００２２】
スクリーン６は、図２、図４、図５に示す通り、円錘形状の金属板から構成される籠体であり、上端面は開放面であるが、下端面は閉じている。下端面にはシャフト７の下端部が固定されている。スクリーン６は外筒体５とともに２槽構造をなすものである。スクリーン６と外筒体５の側面間には所定の間隙Ｇが形成され、スクリーン６の下端部と、外筒体５の下端部にある出口４の間には隙間Ｆが形成されている。間隙Ｇは隙間Ｆよりも幅が狭くなっている。
【００２３】
スクリーン６は防錆のためステンレス製が好ましい。スクリーン６は、パンチングプレートであり、金属板に多数の孔６ａを穿孔したものである。
【００２４】
外筒体５とスクリーン６を円錐状（コーン形状）とする理由は、粉粒体の堆積を防止し、円滑な粉粒体の流れを作るために、内径を絞る必要があるためである。ただし、設置条件によっては内径を絞らなくても良い場合がある。外筒体５とスクリーン６は略相似形状の円錐形である。
【００２５】
シャフト７はスクリーン６の中央部において外筒体５の軸線方向に延び出している。その端部に接続部分があり、この接続部分がシャフト７ａに接続されて延長されている。このシャフト７ａに半径方向に延び出す複数のパドル９が取り付けられている。このシャフト７ａは第１ケーシング５１を貫通し、モータ１０の回転軸に結合し、回転可能となっている。
【００２６】
ビータ（ｂｅａｔｅｒ）８が、図２、図４、図５に示す通り、スクリーン６の外側で径方向に突出し、スクリーン６の外表面に沿って図中で縦方向に傾斜して配置されている。正面視では台形形状の板材である。ビータ８の枚数は、条件によって、適宜設定され得る。ビータ８は強度向上のため、シャフト７の端部と連結することが好ましい。
【００２７】
混合気の進入部位のシャフト７から、パドル９が半径方向に延び出すように設置されている。パドル９とシャフト７，７ａが回転することにより、粉粒体をスクリーン６内に螺旋状に推進させることができる。
【００２８】
シャフト７を回転駆動するモータ１０を備えている。このモータ１０はその回転軸の軸方向Ｚが、入口３の軸方向Ｘ、シャフト７ａの軸方向Ｙと直交して接続され、第１ケーシング５１の端面に固定されている。
【００２９】
入口３はフェルール等からなる接続器具１１により輸送管２に接続されている。出口４はフェルール等からなる接続器具１３により輸送管２に接続されている。第１ケーシング５１には、粉粒体輸送管ストレーナ１を固定するための、固定具１５が取り付けられている。固定具１５は無くてもよい。入口側と出口側の輸送管２のそれぞれに側圧口２ａ，２ｂを備えているが、無くてもよい。
【００３０】
以上説明した粉粒体輸送管ストレーナ１の動作を説明する。粗いゴミを含む粉粒体輸送気体の流れが輸送管２と入口３を経て、第１ケーシング５１の内部に入り、パドル９で攪拌され旋回しながらスクリーン６の奥側（図中下側）に移送され、下方に移送されてゆく途中で、孔６ａよりも小さな径の粉粒体或いは細かな異物が孔６ａを通過し、孔６ａよりも大きな径の粉粒体或いは粗い異物がスクリーン６内に滞留する。
【００３１】
ところで、輸送物がポンプで送り出す液体であれば、その液圧で孔から抜けていくが、粉粒体はそういうわけにもいかない。粉粒体を空気輸送しながら、パンチングされた孔６ａを抜けていくのは、かなりの圧力損失を受け、粉粒体が詰まる場合も多い。
【００３２】
孔６ａを通過した粉粒体或いは細かな異物は外筒体５の内壁面に付着しようとするが、それらはビータ８に掻き取られて、外筒体５の内表面への粉粒体の付着と堆積が防止される。すなわち、このビータ８で強制的に粉粒体を掻き出すと同時に、粉粒体を遠心力で円滑に排出し、気流の流れを排出方向に強制的に作り、粉粒体を強制的に隙間Ｇに沿って旋回流として送り出すことで、粉粒体を除去できる。
【００３３】
そして、隙間Ｆに至った粉粒体は、さらに出口４、輸送管２を経て、インラインシフタ（図示略）に輸送されて、ダマ或いは、細かな異物が除去される。
【００３４】
なお、シフタの上流側の輸送管２に取り付けて、破損したシフタの網をこれで取ることもできる。いずれにしても、シフタの上流側、下流側のどちらでも装着することができる。また、シフタに限定せず、様々な粉粒体処理機器と組み合わせることもある。さらに、単に輸送管２に挿入して設置することもある。
【００３５】
以上説明した本実施形態によれば、混合気が入口３からシャフト７に対して直交方向から、接線方向に進入し、螺旋様に進行するので、最小限の圧力損失で、効率的なスクリーニングが可能になった異物除去用の粉粒体輸送管ストレーナを提供できる。そして、異物除去の適用範囲が格段に広くなる効果がある。
【００３６】
籠状のスクリーン６が回転し、その遠心力により、粉粒体を効率的にスクリーニングすることができる。
【００３７】
籠状のスクリーン６の外側にビータ８が設置されており、掻き出し作用により、スクリーニングされた粉粒体を効率的に下流に送り込むことができる。
【００３８】
混合気の進入部位におけるストレーナ１のシャフト７ａにパドル９が設置されており、そのパドル９が回転することにより、粉粒体を円錐籠状のストレーナ１内で、効率的に推進させることができる。
【００３９】
外筒体５とスクリーン６が円錘形状で略相似形状であるので、圧力損失がさらに低減でき、高効率のスクリーニングが可能となる。
【００４０】
なお、本発明は、上述の実施形態に限定されるものではなく、本発明の技術的思想を逸脱しない範囲において、改変等を加えることが出来るものであり、それらの改変、均等物等も本発明の技術的範囲に含まれることとなる。なお、外筒体５とスクリーン６が円錘形状であるが直管状等、他の形状であってもよい。
【符号の説明】
【００４１】
１・・・粉粒体輸送管ストレーナ
２・・・輸送管
２ａ，２ｂ・・・側圧口
３・・・入口
４・・・出口
５・・・外筒体
５１・・・第１ケーシング
５２・・・第２ケーシング
５３・・・接続部
６・・・スクリーン
６ａ・・・孔
７，７ａ・・・シャフト
Ｇ・・・間隙
Ｆ・・・隙間
８・・・ビータ
９・・・パドル
１０・・・モータ
１１・・・接続器具
１３・・・接続器具
１５・・・固定具
【図１】
0005843560.tif 000002
【図２】
0005843560.tif 000003
【図３】
0005843560.tif 000004
【図４】
0005843560.tif 000005
【図５】
0005843560.tif 000006